(57)【特許請求の範囲】
【請求項１】
印加加速度に応じて面内感知方向に直線移動可能であるように可撓性の支持脚によって固定基板に取り付けられた略平面状のプルーフマスであって、
前記プルーフマスから前記感知方向に略垂直に延在し、前記感知方向で横方向に相隔てられた移動可能な容量型電極フィンガーの第１及び第２のセットを備えた前記プルーフマスと、
前記固定基板に取り付けられた第１及び第２の固定コンデンサ電極であって、前記第１の固定コンデンサ電極が固定容量型電極フィンガーの第１のセットを備え、前記第２の固定コンデンサ電極が固定容量型電極フィンガーの第２のセットを備え、前記固定容量型電極フィンガーの第１及び第２のセットが前記感知方向に略垂直に延在し、前記感知方向で横方向に相隔てられ、
前記固定容量型電極フィンガーの第１のセットが前記プルーフマスの前記移動可能な容量型電極フィンガーの第１のセットと交互嵌合するように配設され、前記固定容量型電極フィンガーの第２のセットが前記プルーフマスの前記移動可能な容量型電極フィンガーの第２のセットと交互嵌合するように配設され、前記移動可能な容量型電極フィンガーの第１及び第２のセットが、利用時に印加加速度を感知するために出力電圧を提供するように配設された電気ピックオフ接続部をさらに備え、
前記移動可能な容量型電極フィンガーの第１のセットが、前記固定容量型電極フィンガーの第１のセットの隣接するフィンガーの間の第１の中線から第１の方向に第１の０以外のオフセットで提供され、
前記移動可能な容量型電極フィンガーの第２のセットが、前記固定容量型電極フィンガーの第２のセットの隣接するフィンガーの間の第２の中線から第２の、反対方向に第２の０以外のオフセットで提供され、前記第１及び第２のオフセットが前記第１及び第２の固定コンデンサ電極の間の中線を挟んで略対称形状であり、
前記プルーフマスが、前記プルーフマスから前記感知方向に略垂直に延在し、前記感知方向で横方向に相隔てられた移動可能ダンピングフィンガーのセットをさらに備える、前記第１及び第２の固定コンデンサ電極と、
前記固定基板に取り付けられ、前記移動可能ダンピングフィンガーのセットと交互嵌合するように配設された固定ダンピングフィンガーのセットであって、前記固定ダンピングフィンガーが前記感知方向に略垂直に延在し、前記感知方向で横方向に相隔てられ、
前記交互嵌合型の固定及び移動可能ダンピングフィンガーが電気的に共通であるように、前記固定ダンピングフィンガーのセットが前記プルーフマスとの電気接続部を備え、
前記プルーフマスが印加加速度に応じて移動する傾向にある場合に、前記交互嵌合型の移動可能及び固定ダンピングフィンガーが、前記移動可能及び固定ダンピングフィンガー間の相対移動を打ち消すダンピング効果を提供するガス状媒体内で取り付けられている、前記固定ダンピングフィンガーのセットと、
を備える、容量型加速度計。
【請求項２】
前記交互嵌合型のダンピングフィンガーの各々が前記交互嵌合型の容量型電極フィンガーよりも幅狭である、請求項１に記載の容量型加速度計。
【請求項３】
各ダンピングフィンガーの付け根の幅が１５ミクロン以下、好ましくは１０ミクロン以下、さらに好ましくは８ミクロン以下である、請求項１または２に記載の容量型加速度計。
【請求項４】
前記交互嵌合型のダンピングフィンガーが前記感知方向で概ね等しく隔てられた、先行請求項のいずれか１項に記載の容量型加速度計。
【請求項５】
隣接するダンピングフィンガー間の間隙が１６ミクロン未満、好ましくは１０ミクロン以下、さらに好ましくは６ミクロン以下である、先行請求項のいずれか１項に記載の容量型加速度計。
【請求項６】
ダンピングフィンガーの前記交互嵌合型のセットが容量型電極フィンガーの前記交互嵌合型のセットよりも高い密度で横方向に相隔てられた、先行請求項のいずれか１項に記載の容量型加速度計。
【請求項７】
前記ダンピングフィンガーのピッチが５０ミクロン未満、好ましくは４０ミクロン未満、さらに好ましくは２５ミクロン未満、例えば２０ミクロン以下である、先行請求項のいずれか１項に記載の容量型加速度計。
【請求項８】
略対称形状に配設される複数の交互嵌合型のダンピングフィンガーのセットを備えた、先行請求項のいずれか１項に記載の容量型加速度計。
【請求項９】
前記プルーフマスが、前記移動可能及び固定容量型電極フィンガーを囲むフレームを備え、ダンピングフィンガーの前記交互嵌合型のセットが前記フレームの外部に位置する、先行請求項のいずれか１項に記載の容量型加速度計。
【請求項１０】
前記容量型電極フィンガー及び／またはダンピングフィンガーが台形である、先行請求項のいずれか１項に記載の容量型加速度計。
【請求項１１】
前記容量型電極フィンガー及び前記ダンピングフィンガーが前記同じガス状媒体内で取り付けられている密閉ユニットを備えた、先行請求項のいずれか１項に記載の容量型加速度計。
【請求項１２】
前記第１及び第２の固定容量型電極フィンガーが、駆動電圧を提供するように配設された電気接続部を備える、先行請求項のいずれか１項に記載の容量型加速度計。
【請求項１３】
同相及び逆相パルス幅変調（ＰＷＭ）駆動信号を前記固定容量型電極フィンガーの第１及び第２のセットに印加し、
前記ＰＷＭ駆動信号のマークスペース比を変化させるために、前記電気ピックオフ接続部から得られる出力電圧を利用する、
ように配設された信号制御装置をさらに備える、請求項１２に記載の容量型加速度計。
【請求項１４】
印加加速度に応じて面内感知方向に直線移動可能であるように可撓性の支持脚によって固定基板に取り付けられた略平面状のプルーフマスであって、
前記プルーフマスから前記感知方向に略垂直に延在し、前記感知方向で横方向に相隔てられた移動可能な容量型電極フィンガーの第１及び第２のセットを備えた前記プルーフマスと、
前記固定基板に取り付けられた第１及び第２の固定コンデンサ電極であって、前記第１の固定コンデンサ電極が固定容量型電極フィンガーの第１のセットを備え、前記第２の固定コンデンサ電極が固定容量型電極フィンガーの第２のセットを備え、前記固定容量型電極フィンガーの第１及び第２のセットが前記感知方向に略垂直に延在し、前記感知方向で横方向に相隔てられ、
前記固定容量型電極フィンガーの第１のセットが前記プルーフマスの前記移動可能な容量型電極フィンガーの第１のセットと交互嵌合するように配設され、前記固定容量型電極フィンガーの第２のセットが前記プルーフマスの前記移動可能な容量型電極フィンガーの第２のセットと交互嵌合するように配設され、前記移動可能な容量型電極フィンガーの第１及び第２のセットが、利用時に印加加速度を感知するために出力電圧を提供するように配設された電気ピックオフ接続部をさらに備え、
前記移動可能な容量型電極フィンガーの第１のセットが、前記固定容量型電極フィンガーの第１のセットの隣接するフィンガーの間の第１の中線から第１の方向に第１の０以外のオフセットで提供され、
前記移動可能な容量型電極フィンガーの第２のセットが、前記固定容量型電極フィンガーの第２のセットの隣接するフィンガーの間の第２の中線から第２の、反対方向に第２の０以外のオフセットで提供され、前記第１及び第２のオフセットが前記第１及び第２の固定コンデンサ電極の間の中線を挟んで略対称形状であり、
前記プルーフマスが、前記プルーフマスから前記感知方向に略垂直に延在し、前記感知方向で横方向に相隔てられた移動可能ダンピングフィンガーのセットをさらに備える、前記第１及び第２の固定コンデンサ電極と、
前記移動可能ダンピングフィンガーのセットと交互嵌合するように配設された固定ダンピングフィンガーのセットであって、前記固定ダンピングフィンガーが前記感知方向に略垂直に延在し、前記感知方向で横方向に相隔てられ、
前記交互嵌合型の固定及び移動可能ダンピングフィンガーが電気的に共通であるように、前記固定ダンピングフィンガーのセットが前記プルーフマスとの電気接続部を備え、
前記プルーフマスが印加加速度に応じて移動する傾向にある場合に、前記交互嵌合型の移動可能及び固定ダンピングフィンガーが、前記移動可能及び固定ダンピングフィンガー間の相対移動を打ち消すダンピング効果を提供するガス状媒体内で取り付けられる、前記固定ダンピングフィンガーのセットと、
を備えた、容量型加速度計の操作方法であって、
前記電気ピックオフ接続部から前記出力電圧を得ることと、そこから前記印加加速度を決定するために前記出力電圧を処理することと、
を含む、前記容量型加速度計の操作方法。
【請求項１５】
同相及び逆相パルス幅変調（ＰＷＭ）駆動信号を前記固定容量型電極フィンガーの第１及び第２のセットに印加すること、
を含み、
前記出力電圧を処理することが、前記ＰＷＭ駆動信号のマークスペース比を変化させるために前記電気ピックオフ接続部から得られる前記出力電圧を利用することを含む、
請求項１４に記載の方法。
【発明の詳細な説明】
【技術分野】
【０００１】
本開示は加速度計に関し、詳細には容量型加速度計に関する。
【背景技術】
【０００２】
加速度計は、現代の電子機器の多くに含まれており、加速度を測定するために利用される。微小電気機械システム（ＭＥＭＳ）に基づく加速度計は近年いたるところに存在するようになり、従来の巨視的な対応物よりもはるかに高い効力をしばしば有する。
【０００３】
加速度を感知するために交互嵌合型の容量型電極「フィンガー」を利用することが当該技術分野においては公知である。このような容量型加速度計の一例が、ＵＳ７，０４７，８０８に記載されている。加速度計が加速度を受ける際に、プルーフマスに取り付けられた容量型電極フィンガーの可動セットは、慣性フレームに取り付けられた容量型電極フィンガーの固定セットに対するヌル位置から移動する傾向にある。
【０００４】
容量型加速度計は、「開ループ」または「閉ループ」として知られるいずれかで操作することができる。開ループシステムにおいて、容量型加速度計は、プルーフマスの相対移動によって発生する電極フィンガー間の容量の変化を感知するように配設され、例えば加速度を測定するために、いわゆる「ピックオフ」電圧が利用される。閉ループシステムにおいて、駆動及び感知の両方に電極フィンガーが利用される。典型的には、同相及び逆相パルス幅変調（ＰＷＭ）電圧波形が固定電極フィンガーに印加され、プルーフマスをそのヌル位置に戻して（すなわち、それがある位置が加速度を受けていない位置である）駆動するようＰＷＭマークスペース比が調整される。マークスペース比は加速度の尺度を提供する。
【０００５】
容量型加速度計、特に閉ループにおいて操作される容量型加速度計では、振動整流誤差（ＶＲＥ）が非常に低いことが求められる。プルーフマス位置の静電力の非線形依存性（静電力が電極間の間隙の２乗に反比例する）により、容量型加速度計の応答性が運動に対して非線形であるため、振動は加速しないが加速度計にＤＣ加速出力を持たせ、大幅なＶＲＥにつながる。残留プルーフマス運動を低減することでＶＲＥの低減が達成可能である。閉ループにおいては、高帯域幅を通常必要とするループの周囲で高ゲインを有することで残留運動を低減することができる。しかし、印加することができる最大ゲインは制限されており、帯域幅も同様に、計算遅延及びＭＥＭＳの共振周波数によって制限されるため、ある程度の残留運動は避けられない。ループにおけるあらゆる遅延により、帯域幅が、その結果、最大開ループゲインが制限される。
【０００６】
さらに、開閉ループシステムの両方の場合において、容量型加速度計が大きな「衝撃」加速度を受ける場合に電極フィンガーの可動セットが移動しすぎないようにすることも重要である。フィンガーの可動セットが移動しすぎる場合、それは「タッチダウンする」、すなわち、フィンガーの固定セットと物理的に接触する。この発生を防止するためにバンプストップが適切に配置されているが、高レベルの加速度において、フィンガーのたわみのためにそれは依然として発生する可能性があり、これにより、加速度計の操作範囲が制限される。特に電極フィンガーの交互嵌合型セットが異なる電位にある際に、衝撃により加速度計に損傷が起きる可能性がある。例えば、Ｓｉｌｉｃｏｎ  Ｓｅｎｓｉｎｇ社より入手可能なＭＥＭＳ加速度計のＧｅｍｉｎｉ範囲は、１０００ｇの操作衝撃で最大±９６ｇのダイナミックレンジを提供する。
【０００７】
電極フィンガー間に比較的小さな空間が存在するため、スクイーズフィルムダンピングとして知られる効果が生じ、電極フィンガー間のガス状媒体がガス状媒体の粘性のためにフィンガーの運動を減衰させる。プルーフマスの残留運動はしたがって、このスクイーズフィルムダンピング効果によってある程度まで減衰する。しかし、特に閉ループ加速度計に関して、印加電圧（例えば、３５Ｖ）においてフィンガーがその変形を防止するために十分な剛性を有する必要があり、そのために最小限の厚さを必要とする交互嵌合型の電極フィンガーの形状には、固有の制限が存在する。典型的には、容量型電極フィンガーは、２０ミクロンの典型的な付け根の幅を有する台形であり、先端に向かって１２ミクロン前後に幅が狭くなる。また、各フィンガーの両側には十分な間隙が必要であり、任意の電極フィンガーの一方の側に他方の側よりも大きな間隙が存在するように、連続して隣接する容量型電極フィンガーの組合せ間にオフセットが存在する。交互嵌合型の容量型電極フィンガー間の典型的な間隔は、より小さな間隙については６ミクロン前後、また、より大きな間隙については１６ミクロンであってもよい。結果として得られる交互嵌合型の容量型電極フィンガーのセットのピッチ（すなわち、セット内のフィンガー組の間の間隔）は典型的には５０ミクロン前後であり、残留運動を打ち消す際にスクイーズフィルムダンピングの効力を制限する。
【発明の概要】
【発明が解決しようとする課題】
【０００８】
容量型加速度計内のプルーフマスの残留運動を低減し、様々な利点を提供することが望ましい。本開示は、上記で略述した欠点を低減するかまたは、克服しようとするものである。
【課題を解決するための手段】
【０００９】
本開示は、第１の態様から見た場合に、
印加加速度に応じて面内感知方向に直線移動可能であるように可撓性の支持脚によって固定基板に取り付けられた略平面状のプルーフマスであって、
プルーフマスから感知方向に略垂直に延在し、感知方向で横方向に相隔てられた移動可能な容量型電極フィンガーの第１及び第２のセットを備えたプルーフマスと、
固定基板に取り付けられた第１及び第２の固定コンデンサ電極であって、第１の固定コンデンサ電極が固定容量型電極フィンガーの第１のセットを備え、第２の固定コンデンサ電極が固定容量型電極フィンガーの第２のセットを備え、固定容量型電極フィンガーの第１及び第２のセットが感知方向に略垂直に延在し、感知方向で横方向に相隔てられ、
固定容量型電極フィンガーの第１のセットがプルーフマスの移動可能な容量型電極フィンガーの第１のセットと交互嵌合するように配設され、固定容量型電極フィンガーの第２のセットがプルーフマスの移動可能な容量型電極フィンガーの第２のセットと交互嵌合するように配設され、移動可能な容量型電極フィンガーの第１及び第２のセットが、利用時に印加加速度を感知するために出力電圧を提供するように配設された電気ピックオフ接続部をさらに備え、
移動可能な容量型電極フィンガーの第１のセットが、固定容量型電極フィンガーの第１のセットの隣接するフィンガーの間の第１の中線から第１の方向に第１の０以外のオフセットで提供され、
移動可能な容量型電極フィンガーの第２のセットが、固定容量型電極フィンガーの第２のセットの隣接するフィンガーの間の第２の中線から第２の、反対方向に第２の０以外のオフセットで提供され、第１及び第２のオフセットが第１及び第２の固定コンデンサ電極の間の中線を挟んで略対称形状であり、
プルーフマスが、プルーフマスから感知方向に略垂直に延在し、感知方向で横方向に相隔てられた移動可能ダンピングフィンガーのセットをさらに備える、第１及び第２の固定コンデンサ電極と、
固定基板に取り付けられ、移動可能ダンピングフィンガーのセットと交互嵌合するように配設された固定ダンピングフィンガーのセットであって、固定ダンピングフィンガーが感知方向に略垂直に延在し、感知方向で横方向に相隔てられ、
交互嵌合型の固定及び移動可能ダンピングフィンガーが電気的に共通であるように、固定ダンピングフィンガーのセットがプルーフマスとの電気接続部を備え、
プルーフマスが印加加速度に応じて移動する傾向にある場合に、交互嵌合型の移動可能及び固定ダンピングフィンガーが、移動可能及び固定ダンピングフィンガー間の相対移動を打ち消すダンピング効果を提供するガス状媒体内で取り付けられている、固定ダンピングフィンガーのセットと、
を備える、容量型加速度計を提供する。
【００１０】
したがって、本開示により、加速度を感知するために利用される交互嵌合型の容量型電極フィンガーとは別個にガス状媒体スクイーズフィルムダンピングを提供する交互嵌合型のダンピングフィンガーの専用セットを有する加速度計が提供されることが当業者には理解される。
【００１１】
いくつかの例において、固定容量型電極フィンガーの第１及び第２のセットは、印加加速度に応じて入力電圧を提供するように配設された電気接続部をさらに備える。このような例において加速度計は、プルーフマスをヌル位置に駆動するために電圧が印加されてもよい、閉ループにおいて操作することができる。これらの電気接続部は、交互嵌合型の移動可能及び固定ダンピングフィンガーが製作される導電性ＭＥＭＳ層に直接接続することによって達成され得ることが理解される。固定容量型電極フィンガーの第１及び第２のセット上のこれらの電気接続部はまた、以下により詳細に記載する開ループ操作のために利用することができる。
【００１２】
開示された加速度計により改善された減衰特性は、プルーフマスの残留運動を低減し、それによって次に、加速度計のＶＲＥが低減される。これにより、加速度計の振動時の加速度計の出力における不要なバイアス電圧の出現を解消することができる。残留運動の低減により、同様に、バンプストップが電極フィンガーのタッチダウンを防止する前により高い振幅を加えることが可能になる。それにより、残留運動の低減を受けて操作振動範囲が広がる。さらに、残留運動を低減することにより、加速度計がより完璧な、時間及び温度の結果として変動のない移動しないシステムとして作用するため、バイアス変動を低減することができる。
【００１３】
本開示による加速度計が開閉ループの両方の実施形態において有益であり、タッチダウン事象からの回復（すなわち、プルーフマスをそのヌル位置に戻すこと）には時間がかかり、その間は加速度計が動作不能であるため、タッチダウンを防止することが望ましいことも同様に当業者によって理解される。しかし、上述の通り、残留運動の減衰は、静電力及びプルーフマスの運動をヌルまで印加するために電極フィンガーが利用されるので、閉ループにおいて動作するように設計された加速度計において特に制限され、同様に、プルーフマスのヌル位置からの移動を感知するために出力「ピックオフ」電圧を提供するため、フィンガーはたわみを防止するように剛性である必要がある。
【００１４】
本開示によって提供される追加的なダンピングフィンガーが閉ループ動作において駆動しないため、印加電圧のもとでの変形のリスクはなく、したがってダンピングフィンガーは容量型電極フィンガーよりも大きさを小さくし、より小さいピッチを提供することが可能である。減衰率はピッチの３乗に反比例するため、スクイーズフィルムダンピング効果の増大は容易に達成される。もちろん、従来の加速度計の交互嵌合型の容量型電極フィンガーは、３５Ｖの典型的なＨＴ電圧に耐え、たわみを０．５ミクロン未満にするようにするために十分な剛性を有しなければならないので、より小さいダンピングフィンガーよりも少ない量の固有のスクイーズフィルムダンピングに寄与する。一方、ダンピングフィンガーは電気的に共通であるため、それらの間に静電力は存在しない。
【００１５】
ダンピングフィンガーは、容量型電極フィンガーよりも幅狭に（すなわち、感知方向により小さい幅を有するように）製作することができる。したがって、いくつかのセットの例において、交互嵌合型のダンピングフィンガーの各々は、交互嵌合型の容量型電極フィンガーよりも幅狭である。フィンガーの深さは通常、特定のＭＥＭＳ製作プロセスによって設定されるが（典型的には１００ミクロン前後）、製作中にエッチングされたチャネルの幅は、所望の幅のフィンガーを作成するために制御することができる。いくつかの例では、各ダンピングフィンガーの付け根の幅は１５ミクロン以下、好ましくは１０ミクロン以下、さらに好ましくは８ミクロン以下である。これにより、専用交互嵌合型のダンピングフィンガーのセットを、交互嵌合型の容量型電極フィンガーのセットよりも高い密度で製作することが可能になる。
【００１６】
上記で略述したように、その感知能力によって加速度計を提供する移動可能な容量型電極フィンガーは、第１及び第２のオフセットにより横方向に隔てられている（すなわち、任意のフィンガーの一方の側の間隙は、他方の側の間隙よりも広い）。典型的には、大小の間隙各々の大きさは、それぞれ６ミクロン及び１６ミクロンである場合がある。しかし、前記ダンピングフィンガーにはこのようなオフセットは必要なく、したがっていくつかの例では、交互嵌合型のダンピングフィンガーは感知方向において等しく隔てられている。いくつかの例では、隣接するダンピングフィンガー間の間隙は、１６ミクロン未満、好ましくは１０ミクロン以下、さらに好ましくは６ミクロン以下である。つまり、少なくともより好ましい例においては、ダンピングフィンガーの交互嵌合型のセットは、容量型電極フィンガーの交互嵌合型のセットよりも高い密度で、横方向に相隔てられ、加速度計の減衰率を大幅に増大させる。
【００１７】
ダンピングフィンガーは互いにより近づけて隔て、より薄く作成することができるため、ダンピングフィンガーの結果として得られるピッチもまた、容量型電極フィンガーのピッチよりも小さく、典型的には約５０ミクロンにすることができる。いくつかの例では、ダンピングフィンガーのピッチは５０ミクロン未満、好ましくは４０ミクロン未満、さらに好ましくは２５ミクロン未満、例えば２０ミクロン以下である。本開示による例示的な加速度計は、容量型電極フィンガーの２．５倍もの数のダンピングフィンガーを有する可能性があり、従来の加速度計に関連する減衰率が典型的には０．５前後である場合がある一方で、結果として得られる減衰率は３から１０前後である場合がある。
【００１８】
最適なスクイーズフィルムダンピングに関しては、固定及び移動可能ダンピングフィンガーが感知方向に垂直に（すなわち、９０度で）延在することが望ましいが、準最適な減衰は、感知方向に対して斜角に延在する固定及び／または移動可能ダンピングフィンガーを有することで依然として達成することができることが当業者には理解される。したがって、「略垂直（ｓｕｂｓｔａｎｔｉａｌｌｙ  ｐｅｒｐｅｎｄｉｃｕｌａｒ）」の語は、固定及び／または移動可能ダンピングフィンガーが感知方向に垂直な構成要素を有する方向に延在する、すなわち、固定及び／または移動可能ダンピングフィンガーが、感知方向に０度より大きく、９０度以下の角度を形成する方向に延在する配置を含むことが理解される。
【００１９】
交互嵌合型の固定及び移動可能ダンピングフィンガーのセットの好適な構成がいくつか存在する場合があるが、好ましい例において加速度計は、略対称形状に配設された複数の交互嵌合型のダンピングフィンガーのセットを備える。加速度計の高度な対称性を保ち、支持部（すなわち、支持脚）に対して中央にプルーフマスの重心を位置決定することにより、構造体が感知方向に垂直な方向に移動するリスクが低減され、これによって、装置が不所望にねじれることを防止する。例えば加速度計は、プルーフマスの一方の側に取り付けられた交互嵌合型の移動可能及び固定ダンピングフィンガーの第１のセットならびに、プルーフマスの他方の側に取り付けられた交互嵌合型の移動可能及び固定ダンピングフィンガーの第２のセットを備えてもよい。交互嵌合型のダンピングフィンガーの第１及び第２のセットは、感知方向に、かつ／または感知方向の横方向に対称となるように取り付けられてもよい。
【００２０】
いくつかの例では、プルーフマスは、移動可能及び固定容量型電極フィンガーを囲むフレームの形を取ってもよい。１つ以上のダンピングフィンガーの可動セットは、プルーフマスのフレーム内部に延在してもよい。しかし、代わりに（または追加的に）１つ以上のダンピングフィンガーの可動セットがプルーフマスのフレームの外部に延在してもよい。したがって、ダンピングフィンガーの交互嵌合型のセットは、フレーム外部に位置してもよい。ダンピングフィンガーは感知配設の一部を形成しないため、例えば特定のＭＥＭＳの実装にとって、どこでも便利な場所に位置付けられてもよいことが当業者には理解される。
【００２１】
電気的に共通である固定及び移動可能ダンピングフィンガーのセットによりすなわち、ダンピングフィンガーがそれぞれ概ね同じ電位（すなわち、電圧）で保持され、したがって、感知または駆動機能を提供することができないことが当業者には理解される。これは固定ダンピングフィンガーとプルーフマスとの間の、ダンピングフィンガーの間で静電力が高まることができないように短絡回路を効果的に提供する電気接続部によって確実にされる。これは、感知及び／または駆動のために、その間に電位差を必ず有する固定及び移動可能な容量型電極フィンガーとは対照的である。本開示の例においては、プルーフマスとの電気接続部は、固定ダンピングフィンガーから走る１つ以上の金属トラックを備えてもよい。固定ダンピングフィンガーは固定基板（例えば、ガラス）に取り付けられているため、金属トラックは、固定基板層とプルーフマス層（例えば、ガラス上シリコンＭＥＭＳ構造）との間に延在するダウンホールビアによってプルーフマス（例えば、シリコン）に接続されてもよい。
【００２２】
特にスクイーズフィルムダンピングを提供するために専用交互嵌合型の「ダンピング」フィンガーを有することで、電気的に共通である固定及び移動可能ダンピングフィンガーが、固定及び移動可能ダンピングフィンガー間で静電力が確実に存在しないようにし、減衰効果を高めて、損傷の可能性を低減することを出願人は理解している。
【００２３】
典型的な実施態様において、交互嵌合型の容量型電極フィンガーは、交互嵌合型のダンピングフィンガーと同じガス状媒体内で取り付けられている。例えば加速度計は、容量型電極フィンガー及びダンピングフィンガーが同じガス状媒体内に取り付けられる密閉ユニットの形を取ってもよい。加速度計は、スクイーズフィルムダンピング効果を提供するための任意の好適なガス状媒体を備えてもよい。ガス状媒体は、空気、窒素、アルゴン、ヘリウムまたはネオンのうち、１つ以上を含んでもよい。ガス状媒体は、大気圧下または加圧下において含まれてもよい。例えばガス状媒体は、最大約１０バールの圧力において含まれてもよい。減衰率はガス状媒体の圧力に弱く依存するのみであるが、ネオン及びアルゴン等のより高い粘性を有するガスは、空気等のより粘性の低いガスと比較すると、改善されたダンピング効果を有し、したがって、最適な減衰特性を実現する上で好ましい。
【００２４】
容量型電極フィンガー及び／またはダンピングフィンガーが取り得る潜在的な形状及び構成がいくつか存在するが、いくつかの例では、容量型電極フィンガー及び／またはダンピングフィンガーは台形である。フィンガーの「付け根」（すなわち、表面に取り付けられたフィンガーの端部）が「先端」（すなわち、フィンガーの他端）よりも広い台形の形状を有するフィンガーを提供することで、フィンガーはそれ以上の物理的空間を必要とすることがないまま、より高い剛性を有する。
【００２５】
特に移動可能なプルーフマスの構成に関して、本開示を容易に適用し得る装置の形状もいくつか存在する。例のセットにおいて、コンプライアント脚部上に、プルーフマスは移動可能なフレーム、例えば長方形のフレームを備える。このようなフレームはその後、少なくともいくつかの例では、アンカー配設によって固定基板に取り付けることができる。移動可能な容量型電極フィンガーは、プルーフマスのフレーム内部に対称形状に配設されてもよい。
【００２６】
特定の実施態様に応じて、固定基板は異なる形状及び構造を取ってもよい。しかし、いくつかの例では、固定基板は略平面状である。固定基板は例えば、プルーフマスの形状に一致するように長方形であってもよい。固定基板はまた、任意の好適な材料から作成されてもよいが、好ましくは、ガラス等の絶縁体から作成される。固定ダンピングフィンガーの１つ以上のセットはその後、プルーフマス支持脚及び固定容量型電極フィンガーと同じプロセスにおいて、ガラス基板と陽極接合されてもよい。交互嵌合型のダンピングフィンガーは、プルーフマス及び固定容量型電極フィンガーと同じＭＥＭＳ層から製作されるが、製作中に実行されたエッチングプロセスより生じる深いトレンチによって電気的に絶縁されている。
【００２７】
本開示の任意の例において、プルーフマス及び固定電極フィンガーは、半導体基板、例えばシリコン基板から一体的に形成されてもよい。容量型加速度計は、ＭＥＭＳ加速度計の形を取ってもよい。
【００２８】
印加加速度に応じて面内感知方向に直線移動可能であるように可撓性の支持脚によって固定基板に取り付けられた略平面状のプルーフマスであって、
プルーフマスから感知方向に略垂直に延在し、感知方向で横方向に相隔てられた移動可能な容量型電極フィンガーの第１及び第２のセットを備えたプルーフマスと、
固定基板に取り付けられた第１及び第２の固定コンデンサ電極であって、第１の固定コンデンサ電極が固定容量型電極フィンガーの第１のセットを備え、第２の固定コンデンサ電極が固定容量型電極フィンガーの第２のセットを備え、固定容量型電極フィンガーの第１及び第２のセットが感知方向に略垂直に延在し、感知方向で横方向に相隔てられ、
固定容量型電極フィンガーの第１のセットがプルーフマスの移動可能な容量型電極フィンガーの第１のセットと交互嵌合するように配設され、固定容量型電極フィンガーの第２のセットがプルーフマスの移動可能な容量型電極フィンガーの第２のセットと交互嵌合するように配設され、移動可能な容量型電極フィンガーの第１及び第２のセットが、利用時に印加加速度を感知するために出力電圧を提供するように配設された電気ピックオフ接続部をさらに備え、
移動可能な容量型電極フィンガーの第１のセットが、固定容量型電極フィンガーの第１のセットの隣接するフィンガーの間の第１の中線から第１の方向に第１の０以外のオフセットで提供され、
移動可能な容量型電極フィンガーの第２のセットが、固定容量型電極フィンガーの第２のセットの隣接するフィンガーの間の第２の中線から第２の、反対方向に第２の０以外のオフセットで提供され、第１及び第２のオフセットが第１及び第２の固定コンデンサ電極の間の中線を挟んで略対称形状であり、
プルーフマスが、プルーフマスから感知方向に略垂直に延在し、感知方向で横方向に相隔てられた移動可能ダンピングフィンガーのセットをさらに備える、第１及び第２の固定コンデンサ電極と、
移動可能ダンピングフィンガーのセットと交互嵌合するように配設された固定ダンピングフィンガーのセットであって、固定ダンピングフィンガーが感知方向に略垂直に延在し、感知方向で横方向に相隔てられ、
交互嵌合型の固定及び移動可能ダンピングフィンガーが電気的に共通であるように、固定ダンピングフィンガーのセットがプルーフマスとの電気接続部を備え、
プルーフマスが印加加速度に応じて移動する傾向にある場合に、交互嵌合型の移動可能及び固定ダンピングフィンガーが、移動可能及び固定ダンピングフィンガー間の相対移動を打ち消すダンピング効果を提供するガス状媒体内で取り付けられている、固定ダンピングフィンガーのセットと、
を備えた、容量型加速度計の操作方法であって、
電気ピックオフ接続部から出力電圧を得ることと、そこから印加加速度を決定するために出力電圧を処理することと、
を含む、容量型加速度計の操作方法に本開示が及ぶことが当業者には理解される。
【００２９】
開示された方法は、開ループまたは閉ループにおける加速度計の操作に好適である。いずれの場合にも、専用ダンピングフィンガーによって提供される追加的なスクイーズフィルムダンピングは、（閉ループ操作において）プルーフマスの残留運動を低減し、（開ループ操作において）振動が誘起する運動を低減し、上述の利点をもたらす。開ループ操作において、出力電圧を処理することは、印加加速度を測定するために出力電圧の振幅を計測することを含んでもよい。様々な例において、本方法は、同相及び逆相駆動信号を印加することによって、固定容量型電極フィンガーを駆動することを含んでもよい。開ループ操作においては、同相及び逆相方形波が２つの固定電極に印加され、対向するオフセットのために、差動静電容量は印加加速度によって変化し、プルーフマス運動（すなわち、印加加速度）に比例する出力信号を提供するために、結果として得られる（プルーフマスからの）ピックオフ信号を（駆動周波数が知られているため）復調し、低域フィルタリングすることができる。
【００３０】
しかし、閉ループにおける加速度計の操作に関しては、容量型電極フィンガーによって提供される固有の減衰がその後、フィンガーの必要な剛性したがって厚さによって制限されるため、特定の改善が達成されてもよい。閉ループ操作において、駆動信号はパルス幅変調（ＰＷＭ）信号を含んでもよく、出力電圧を処理することは、ＰＷＭ駆動信号のマークスペース比を変化させるために、例えば、プルーフマスをヌル位置で維持する（すなわち、プルーフマスからのＰＷＭ感知信号はエラー信号として作用する）ために印加加速度下でプルーフマスの機械慣性力が静電力によって均衡化され、印加されたＰＷＭ駆動信号のマークスペース比が印加加速度に対して線形関係を有する出力を提供するように、電気接続部から得られた出力電圧を利用することを含んでもよい。開ループ操作と同様に、駆動信号のマークスペース比を設定するために、ピックオフ信号を復調し、利用することができる。ＰＷＭ駆動信号は通常、パルス波信号（すなわち、可変マークスペース比を有する矩形波）であり、固定電極に印加される。本明細書に参照文献として援用されるＷＯ２００５／０８４３５１は、このようなＰＷＭ駆動信号を利用する閉ループ電子制御回路の一例を提供する。印加加速度から生じる慣性力を打ち消す静電力によりプルーフマスをそのヌル位置に留まらせるために、同相及び逆相のＰＷＭ信号をそれぞれ用いて固定電極フィンガーの第１及び第２のセットを駆動するように制御回路が配設される。可変再平衡力を発生させるためにＰＷＭ駆動信号のマークスペース比を調整することができる。正弦波はサイクルの間中静電力を変化させるため、典型的には利用されず、静電力のマークスペース比との線形性を確保するために、定電圧が必要とされる。
【００３１】
したがって、上記に開示された加速度計の例において、固定容量型電極フィンガーの第１及び第２のセットはさらに、駆動電圧を提供するように配設された電気接続部を備えてもよい。上述のように、これらの電気接続部はＭＥＭＳ層（すなわち、典型的な実施態様におけるシリコン層）と直接インターフェースしてもよい。閉ループ操作に関しては、同相及び逆相パルス幅変調（ＰＷＭ）駆動信号を固定容量型電極フィンガーの２つのセットに印加するように信号制御装置が配設されてもよい。電気ピックオフ接続部から（すなわち、プルーフマスから）得られる出力電圧はその後、閉ループサーボを駆動するためのエラー入力信号として利用され、ＰＷＭ駆動信号のマークスペース比を変化させ、プルーフマスをヌル位置で維持する。
【００３２】
次に１つ以上の非限定例について、添付図面を参照して説明する。
【図面の簡単な説明】
【００３３】
【図１】従来の加速度計を示す。
【図２】図１の加速度計に特有の組み合わせられたフィンガー配置を示す。
【図３】本開示の一例による加速度計を示す。
【図４】図３の加速度計に特有のダンピングフィンガーのセットを示す。
【図５】図３の加速度計を操作するための例示的な閉ループ電子制御回路のブロック図を示す。
【図６Ａ】図３の加速度計の閉ループ操作を例示する一連の波形を示す。
【図６Ｂ】図３の加速度計の閉ループ操作を例示する一連の波形を示す。
【図６Ｃ】図３の加速度計の閉ループ操作を例示する一連の波形を示す。
【発明を実施するための形態】
【００３４】
図１は、当該技術分野において公知である従来の加速度計１０２を示す。加速度計１０２は、２つのアンカーポイント１０６、１０８を介してガラス基板（図示せず）に固定された移動可能なフレーム１０４（すなわち、プルーフマス）を備える。加速度計１０２はまた、基板に取り付けられた２つの電極１１０、１１２を備える。
【００３５】
テーパ状のフィンガー（図２に示す）のセットが電極１１０、１１２及びフレーム１０４の両方から延在し、交互嵌合型のフィンガー１２１、１２２の４つの象限１１４、１１６、１１８、１２０を画定する。
【００３６】
加速度計１０２が感知軸１００に沿って感応し、この軸１００に沿った加速度により、フレーム１０４が支持部に対して移動して、電極１１０、１１２から延在する固定容量型電極フィンガーに対してフレーム１０４から延在する移動可能なフィンガーの直線移動を引き起こすよう配設される。この移動により、隣接するフィンガーの組間の容量が、それらの間の距離の変化に応じて、変化する。差動静電容量のこの変化はその後、電極１１０、１１２によって感知することができる。
【００３７】
図２は、図１の加速度計１０２に特有の組み合わせられたフィンガー配置を示す。より詳細には、図２は、象限１１４、１１６、１１８、１２０の各々に見ることができる交互嵌合型のフィンガー１２１、１２２の拡大図を示す。テーパ状の固定フィンガー１２１のあるセットは電極１１０、１１２から延在し、別の可動セット１２２は移動可能なフレーム１０４から延在する。電極１１０、１１２から延在する容量型電極フィンガー１２１は、適切に固定されており、加速度計１０２に対して移動することができない。フレーム１０４から延在する容量型電極フィンガー１２２は移動することができ、したがって、移動可能なフィンガー１２２と固定フィンガー１２１との間の間隙１２４、１２６は変化する。
【００３８】
交互嵌合型の組における各フィンガーの両側の間隙１２４、１２６の大きさには差異が存在し、すなわち、容量型電極フィンガー間にはオフセットが存在することに注目すべきである。加速度計１０２は、左手用電極１１０に隣接する２つの象限１１４、１１６が、アンカーポイント１０６に最も近いより大きな間隙１２４を有し、一方で右手用電極１１２に隣接する他の２つの象限１１８、１２０がアンカーポイント１０８に最も近いより大きな間隙１２４を有するように設計される。この対称性（装置を通る垂直線を挟んで対称形状である）により、中心電極（すなわち、移動可能な容量型電極フィンガー１２２）及び２つの側電極１１０、１１２を有する差動コンデンサが提供される。この差動コンデンサ配置により、装置は、感知軸１００に沿って両方向で加速度を感知することができる。フレーム１０４（すなわち、プルーフマス）は感知軸１００に沿って移動するため、中心電極１２２と側電極１１０、１１２の一方の間の容量は増大するが、中心電極と他方の側電極１１０、１１２との間の容量は減少する。
【００３９】
この特定の例において、容量型電極フィンガー１２１、１２２の各々は、典型的には付け根が２０ミクロンの幅であり、先端に向かって１２ミクロンまで幅が狭くなる。より大きな間隙１２４は典型的には１６ミクロンであるが、より小さな間隙１２６は典型的には６ミクロンであり、したがって、４４ミクロンのピッチにつながる。
【００４０】
図３は、本開示の一例による、加速度計２０２を示す。加速度計２０２は、可撓性の脚２５０によって２つのアンカーポイント２０６、２０８を介してガラス基板（図示せず）に固定された移動可能なフレーム２０４を備える。加速度計２０２はまた、基板に取り付けられた２つの固定電極２１０、２１２を備える。
【００４１】
テーパ状のフィンガーのセット（図２に示すものと同様に）は固定電極２１０、２１２と移動可能なフレーム２０４の両方から延在し、交互嵌合型の容量型電極フィンガー２２１、２２２の４つの象限２１４、２１６、２１８、２２０を画定する。
【００４２】
加速度計２０２は、感知軸２００に沿って感応するように配設され、この軸２００に沿った加速度により、移動可能なフレーム２０４が支持部に対して移動し、固定電極２１０、２１２から延在する固定容量型電極フィンガーに対してフレーム２０４から延在する移動可能な容量型電極フィンガーが移動する。図２を参照して説明するように、加速度計２０２は必ず中心電極（すなわち、移動可能な容量型電極フィンガー）及び２つの側固定電極２１０、２１２を有する差動コンデンサとして配設されるため、加速度計２０２は、感知軸２００に沿って両方向で加速度を感知するように配設される。移動可能なフレーム２０４（すなわち、プルーフマス）は感知軸２００に沿って移動するため、中心電極と側電極２１０、２１２の一方との間の容量は増大するが、中心電極と他方の側電極２１０、２１２間の容量は減少する。移動可能なフレーム２０４は、印加加速度を感知する目的で加速度計２０２から出力電圧Ｖoutを取り出すために利用することができる電気ピックオフ接続部（図示せず）を提供する。固定電極２１０、２１２はさらに、図５及び図６Ａ〜図６Ｃを参照してさらに詳しく説明するように、対向する静電力を利用して（すなわち、閉ループにおいて加速度計２０２を操作するため）プルーフマス（すなわち、移動可能なフレーム２０４）をヌル位置に維持するために、駆動電圧Ｖ1、Ｖ2を加速度計２０２に印加する能力を提供する電気接続部を提供する。
【００４３】
可撓性の支持脚２５０は、脚２５０によって支持された組み合わせられた質量とともに、典型的には（加速度計の必要な感応度に応じて）１〜５ｋＨｚの範囲にある共振周波数を設定する特定の長さ及び幅によって実装される。
【００４４】
図５及び図６Ａ〜図６Ｃをさらに参照して説明するように、閉ループにおいて操作する際には、加速度によって発生するあらゆる位置の変化に対抗するべく駆動電圧Ｖ1、Ｖ2を固定電極２１０、２１２に提供するために固定電極２１０、２１２が利用される。駆動電圧Ｖ1、Ｖ2はまた、開ループ操作において固定電極２１０、２１２に印加されるが、移動可能なフレーム２０４をヌル位置に戻すためには利用されず、したがって、閉ループ操作において利用されるものよりも振幅が低くなる。
【００４５】
図４において以下により詳細に示される専用ダンピングフィンガー２２８、２３０の２つのセットも加速度計２０２に取り付けられる。これらのダンピングフィンガー２２８、２３０は容量型感知または復旧電圧の印加のために利用されないが、代わりに、スクイーズフィルムダンピングを高めるために特に適合される。
【００４６】
ダンピングフィンガー２２８、２３０の専用セットは、開閉ループのいずれかにおいて操作される際に加速度計２０２に利点をもたらし、従来の加速度計に見ることができるよりも減衰特性を向上させる。
【００４７】
図４は、図３に示す加速度計２０２に特有のダンピングフィンガー２２８、２３０のセットを示す。ダンピングフィンガー２２８、２３０のこれらのセットはまた、交互嵌合型であり、ガラス基板２０１に取り付けられたダンピングフィンガー２２２の固定セット及び、フレーム２０４から延在するダンピングフィンガー２２４の可動セットを備える。
【００４８】
図４から分かるように、隣接する交互嵌合型の固定及び移動可能ダンピングフィンガー２２２、２２４間の間隔２２６は、両側において等しい。これにより、均一なスクイーズフィルムダンピング効果が、感知軸２００に沿って両方向において発生することが可能になる。
【００４９】
この特定の例において、ダンピングフィンガーの各々は、幅８ミクロン及び長さ７００ミクロンであり、固定及び移動可能なフィンガーのセット２２２、２２４内の隣接するフィンガー間の間隔は６ミクロンである。これにより、ピッチは２８ミクロンとなり、これは、感知のため、及び、閉ループ操作の際には駆動のために利用される容量型電極フィンガーのそれよりもはるかに低い。これにより、加速度計２０２の減衰率は、当該技術分野において公知である従来の加速度計２０２に特有の０．５の減衰率と比較して増大し、およそ２．５となる。
【００５０】
ダンピングフィンガー２２２、２２４の２つのセットは、ダンピングフィンガー２２２、２２４のセットを互いに電気的に共通にするために作用する導電金属製の接触部２６０によって互いに電気的に接続される。これにより、スクイーズフィルムダンピング効果に対抗するあらゆる静電力がダンピングフィンガー２２２、２２４に作用することが防止され、したがって加速度計２０２の減衰率をさらに高める。本明細書においては破線で例示されているが、金属製の接触部２６０は典型的には、ダンピングフィンガー２２２の固定セットからのガラス基板２０１の表面に沿った経路をたどり、その後、ダウンホールビアによってフレーム２０４に接続される１つ以上の金属トラックとして実装される。１つ以上の金属トラック２６０が固定ダンピングフィンガー２２２のセットをプルーフマス（すなわち、前記フレーム２０４）に電気的に接続するため、交互嵌合型の固定及び移動可能ダンピングフィンガー２２２、２２４は電気的に共通である。
【００５１】
図５は、図３の加速度計を操作するための例示的な閉ループ電子制御回路のブロック図を示す。パルス幅変調（ＰＷＭ）駆動電圧発生装置８２２は、同相及び逆相電圧信号Ｖ1及びＶ2をそれぞれ固定電極２１０、２１２の第１及び第２のセットに提供する（例示的な波形が図６Ａ〜図６Ｃに示される）。移動可能なフレーム２０４からの出力電圧Ｖoutがプリアンプ８２３に提供され、その出力８２５が復調装置８２４に提供される。結果として得られる出力８２７は、プルーフマス（すなわち、移動可能なフレーム２０４）のヌル位置からの移動を表す。出力８２７はその後、積分器／ループフィルタ８２６を通り、移動可能なフレーム２０４のヌル位置からの移動による、すなわち、印加加速度に比例する必要な復元力を表す出力８３２を提供する。
【００５２】
積分され、フィルタリングされた出力８３２は、移動可能なフレーム２０４がヌル位置に保持されるようにＰＷＭ駆動電圧発生装置８２２を駆動し、その後、復調装置出力８２７をヌル値に駆動するＰＷＭマークスペース比発生装置を備えたＰＷＭ駆動電圧制御回路８３４に送られる。ＰＷＭマーク：スペース比率が復元力を決定し、印加加速度に比例する。２つの代替的な出力段が利用可能であることが分かる。１つの選択肢は、積分器／ループフィルタ８２６が、出力８４０において、印加加速度に比例する、適切にフィルタリングされた信号８３２を直接提供することである。これはデジタル信号であるため、追加的なエラーを導入することなく利用することができる。代わりに、または加えて、差動増幅器８２９等の比較器は、ＰＷＭ駆動電圧Ｖ1及びＶ2を比較し、復元力を計測することで、印加加速度に比例する、８３１における出力を提供してもよい。この信号８３１は、システムの要件に一致するよう適切にフィルタリングするか、またはデジタル化することができるアナログ信号である。これにより、ＰＷＭ電圧発生装置８２２または制御部８３４内のエラーが閉ループ操作によって抑制されるため、より性能の高いシステムが提供されてもよい。
【００５３】
図６Ａ〜図６Ｃは、固定電極２１０、２１２にそれぞれ印加される電圧信号Ｖ1、Ｖ2の一連のＰＷＭ波形を示し、図３に示す加速度計２０２の操作を例示する。加速度計２０２は、電極２１０、２１２の各々に印加されるパルス幅変調（ＰＷＭ）信号を利用して操作され、それによって、電極２１０、２１２の各々に印加される電圧は逆相であり、したがって「高」電圧５００（典型的には、閉ループ操作において３５Ｖ前後）が一方の電極に印加されるが、「低」電圧５０２（典型的には０ボルト）が他方に印加される。
【００５４】
図６Ａは、加速度計２０２が加速度を受けていないか、または開ループにおいて操作されている際のＰＷＭ波形を例示する。図６Ａは、固定電極２１０、２１２のそれぞれに印加される、加速度計２０２が加速度を受けていない（すなわち、それが０ｇを計測している）際の典型的な同相及び逆相電圧信号Ｖ1、Ｖ2を示す。この例では、マークスペース比（すなわち、所与の電極が正電圧５００を提供される長さの低電圧５０２と比較した比率）は５０：５０である。フレーム２０４（すなわち、プルーフマス）はそのヌル位置にあるため、象限２１４、２１６、２１８、２２０の各々における移動可能な容量型電極フィンガーセットはすべて同様に、それらのヌル位置にあり、復旧力が必要とされない。
【００５５】
図６Ａに示す電圧信号Ｖ1、Ｖ2は、加速度計２０２が開ループにおいて操作されており、マークスペース比が変化しない、固定電極２１０、２１２に印加されるものと同じ形式である。開ループにおける操作時に、これらの信号高電圧５００は典型的には３Ｖ前後である。開ループにおいては印加加速度に関わらず復旧力が印加されないため、マークスペース比は５０：５０で維持される。
【００５６】
図６Ｂは、加速度計２０２が閉ループにおいて操作されている場合に、加速度計２０２が感知軸２００に沿って負方向に加速度を受けている（すなわち、それが大きな負のｇを計測している）際の固定電極２１０、２１２にそれぞれ印加される典型的な電圧信号Ｖ1、Ｖ2を示す。ここでは、象限２１４、２１６、２１８、２２０の各々におけるフレーム２０４したがって移動可能な容量型電極フィンガーセットがそれらのヌル位置からずれるため、（図５に見られる）制御部８３４及びＰＷＭ電圧発生装置８２２によって、一方の側、例えば、左固定電極２１０に高電圧５００が、それが低電圧５０２を提供されるよりも長く提供され、他方の側、例えば、右固定電極２１２についてはその逆が真となるようにマークスペース比が調整される。これは、フレーム２０４をそのヌル位置に戻すように作用する。
【００５７】
図６Ｃは、加速度計２０２が閉ループにおいて操作されている場合に、加速度計２０２が感知軸２００に沿って正方向で加速度を受けている（すなわち、それが大きな正のｇを計測している）際の固定電極２１０、２１２にそれぞれ印加される、典型的な電圧信号Ｖ1、Ｖ2を示す。ここでは、一方の側、例えば、右固定電極２１２に高電圧５００が、それが低電圧５０２を提供されるよりも長く提供され、他方の側、例えば、左固定電極２１０についてはその逆が真となるようにマークスペース比が調整される。これもフレーム２０４をそのヌル位置に戻すように作用するが、ここでは反対方向の力を印加する。このような閉ループ操作については、ＷＯ２００５／０８３４５１においてより詳細に説明されており、その内容が参照文献として組み込まれる。
【００５８】
加速度計２０２の閉ループ操作に関してより詳細に説明しているが、本明細書に開示の加速度計の高められた減衰性能はまた、開ループ加速度計にとっても有益である（すなわち、一定の５０：５０のマークスペース比及び典型的な約３Ｖのピーク電圧を有する駆動信号が、開ループ駆動及び感知をもたらすために利用されるが、図６Ａを参照して上述した復旧力についてはそうではない）ことが当業者には理解される。
【００５９】
したがって、減衰のためにフィンガーの別個の、専用セットを備える、改善された加速度計について、本明細書において説明されたことが分かる。特定の例に関して詳細に説明したが、本明細書に記載の本開示の原則を利用して、多くの変形例及び修正例が可能であることが当業者には理解される。
【図１】
0006732012.tif 000002
【図２】
0006732012.tif 000003
【図３】
0006732012.tif 000004
【図４】
0006732012.tif 000005
【図５】
0006732012.tif 000006
【図６Ａ】
0006732012.tif 000007
【図６Ｂ】
0006732012.tif 000008
【図６Ｃ】
0006732012.tif 000009